(57)【要約】【課題】従来技術と比べて臨床作業がはるかに容易なＸ線検出器機構を提供する。【解決手段】検出器（１）および所望のやり方でＸ線を導くように配置される散乱除去用グリッド（６）を備えるＸ線検出器機構。この機構は、互いからある間隔で離隔された２つの平坦面（３、４）、およびこの両平坦面を互いに結合する端部要素（５）を有する平坦箱（２）さらに備える。散乱除去用グリッド（６）が平坦箱の１つの平坦面に一体化され、平坦箱の少なくとも１つの端部に開口（７）が設けられていて、箱（２）の２つの平坦面（３、４）の間に検出器（１）を挿入することが可能になる。【選択図】図２
2008168126.tif 000002
【特許請求の範囲】
【請求項１】
検出器（１）と、所望のやり方でＸ線を導くように配置される散乱除去用Ｘ線グリッド（６）とを備えるＸ線検出器機構であって、互いからある間隔で離隔された２つの平坦面（３、４）を有する平坦箱（２）と、前記平坦面を互いに結合する端部要素（５）とをさらに備え、前記散乱除去用グリッド（６）が前記平坦箱の１つの平坦面に一体化され、前記平坦箱の少なくとも１つの端部に開口（７）が設けられていて、前記箱（２）の前記２つの平坦面（３、４）の間に前記検出器（１）を挿入することが可能になることを特徴とするＸ線検出器機構。
【請求項２】
前記開口（７）が前記平坦箱（２）の少なくとも２つの端部に設けられることを特徴とする請求項１記載のＸ線検出器機構。
【請求項３】
前記開口（７）が、前記平坦箱（２）の対向した端部に設けられることを特徴とする請求項２記載のＸ線検出器機構。
【請求項４】
前記平坦箱（２）が自立した構造体であることを特徴とする請求項１記載のＸ線検出器機構。
【請求項５】
前記平坦箱（２）が炭素繊維材料で作られることを特徴とする請求項４記載のＸ線検出器機構。
【請求項６】
前記平坦箱（２）に丸められた隅が与えられていることを特徴とする請求項１記載のＸ線検出器機構。
【請求項７】
可動のＸ線ユニット（１０）とともに使用するために設計されていることを特徴とする請求項１記載のＸ線検出器機構。
【発明の詳細な説明】
【技術分野】
【０００１】
本発明は、例えば、特に可動のＸ線ユニットとともに臨床用に使用されるＸ線検出器機構に関する。
【背景技術】
【０００２】
前述のＸ線検出器機構は、例えば病院で非常に一般的である。通常、臨床用では、テザーをつながれた可搬の検出器が、検出器の上に取り付けられた個別の散乱除去用Ｘ線グリッドと共に使用される。散乱除去用グリッドは、検出器へのＸ線経路の組織からＸ線が散乱するのを防ぐために必要である。
【０００３】
従来技術の解決策では、Ｘ線グリッドは検出器の上に取り付けられる。したがって、使用者が持ち上げて扱わなければならない質量は、検出器とグリッドの質量を足したものになる。前述の、上にグリッドが取り付けられた検出器の重さは、一般に約６ｋｇである。Ｘ線検出器機構、すなわち検出器およびグリッドは、例えばベッドに拘束されて診察される患者の下で、押される必要がある。換言すれば、検出器機構、すなわち検出器および検出器に取り付けられたグリッドは患者の下で押される必要があり、そのため、Ｘ線検出器は、患者と患者が横たわっているマットレスの間で移動される。患者の下のグリッド付検出器を押すことは困難であり、この検出器を引き出すことも同様に困難である。
【０００４】
前述のように、前記処置を実行するためには少なくとも２人の看護婦／Ｘ線技術者が必要とされるので、前述の処置は、多くの場合実際上困難である。これは、患者を持ち上げて、同時に重い検出器機構を扱うために、相当な物理的力が必要とされるという事実によるものである。前述のようなやり方で患者の下で検出器機構を押し／引きする間に、検出器のテザーの張力逃しが取っ手として使用されると、検出器のテザーを損傷する恐れがある。
【０００５】
前述の問題が、ＣＲプレートを含むデジタル画像モードおよび従来のフィルムに基づくモードの両方に生じる。従来のフィルムに基づくモードでは、使用されるＸ線フィルムカセットに関連して外シースを使用することが既知である。前記外シースは、布材で作られる。外スリーブを形成する材料は、マジックテープ（商標）短冊などを使用してカセットの周囲に固定される。しかし、この機構は、特に、比較的重い検出器機構を使用するデジタル技術に関してはそれほど実際的ではない。シースを清潔にすることは、シースが接する様々な細菌またはウィルスを運び得るすべての体液を布材がしみ込ませ得るという事実のために特に困難である。
【発明の開示】
【発明が解決しようとする課題】
【０００６】
本発明の目的は、従来技術の不都合を解消することができるＸ線検出器機構を得ることである。
【課題を解決するための手段】
【０００７】
これは本発明で得られる。本発明は、その機構が、互いからある間隔で離隔された２つの平坦面を有する平坦箱および両平坦面を互いに結合する端部要素を備え、散乱除去用Ｘ線グリッドが、平坦箱の１つの平坦面に一体化され、平坦箱の少なくとも１つの端部に開口が設けられていて、箱の２つの平坦面の間に検出器を挿入することが可能になることを特徴とする。
【０００８】
本発明には、従来技術と比較したとき、臨床作業がはるかに容易であるという利点がある。本発明では、この箱が、グリッドの重さ約１ｋｇで与えられ、また、前記の比較的軽い構成要素を最初に患者の下に差し込むことができるので、臨床作業がより容易になる。この処置は、患者の下に従来技術の重い機構を挿入するよりはるかに容易である。患者の下にグリッド箱が正確に配置された後、比較的容易にグリッド箱へ検出器を差し込むことができ、したがって、検出器を損傷する危険性が解消される。本発明の利点は、本発明をかなり簡単に実現することができるという点にもあり、すなわち製造原価はかなり低い。
【０００９】
以下では、本発明が、添付の図面を参照しながらより詳細に説明される。
【発明を実施するための最良の形態】
【００１０】
図１は、本発明のＸ線機構の一実施形態を示す。本発明の基本部は、参照番号１が検出器を示し、参照番号２が本発明の必須部分である平坦箱を示すように表示されている。
【００１１】
本発明によれば、Ｘ線機構は検出器１および平坦箱２を備え、平坦箱２は、互いからある間隔で離隔された２つの平坦面３、４、およびこの両平坦面を互いに結合する端部要素５を有する。Ｘ線を導く散乱除去用グリッド６は、平坦箱２の１つの平坦面に一体化されている。平坦箱２の少なくとも１つの端部に、開口７がさらに設けられていて、箱２の２つの平坦面の間に検出器１を挿入することが可能になる。
【００１２】
図２は、図１に示された本発明の実施形態が使用されている様子を示す。しかし、図２は、ベッド９の上に横たわる患者８も示す。図２は、Ｘ線装置１０も概略的に示す。参照番号１１は、患者が横たわっているマットレスを示す。
【００１３】
本発明は、基本的に以下のように使用することができる。本発明は、可動のＸ線デバイス、すなわち必要な像を得るために患者の方へ移動することができるＸ線デバイスに関連して特によく適合する。最初に、Ｘ線装置１０が患者の方へ移動され、次いで平坦箱が患者の下に配置される。これに関連して、平坦箱が重さわずか約１ｋｇしかないので、患者の下で容易に平坦箱を押すことができることに留意する必要がある。平坦箱を強い構造体として作ることができることも留意する必要があり、また、この平坦箱には、従来技術の解決策が用いられた場合に問題を引き起こす機械的に弱い電気接続部などがない。
【００１４】
前述のように、平坦箱２の２つの平坦面３、４の間に検出器を挿入することを可能にするために、平坦箱の少なくとも１つの端部に開口７が設けられている。換言すれば、箱２および開口７は、図１および図２の矢印Ｎによって示されるように検出器１を平坦箱２へ差し込むことができるような大きさにされている。
【００１５】
図２は、患者８の下に配置された平坦箱に検出器が押し込まれる状況を示す。平坦箱２は、箱が、検出器をぴったりと受け入れることができるほど十分に大きく、検出器を容易に押し込んだり引き出したりすることができるような大きさにされている。箱の内側面も、検出器の押し引きを容易にするために低フリクション材が与えられてよい。
【００１６】
必要な像が得られた後に、検出器は、図１および図２の矢印Ｍによって示されるように箱から引き出される。
【００１７】
従来技術に関連して必要とされる処置と比べたとき、本発明の機構を用いると、行なわれるべき処置、すなわち処置される患者の下へ検出器およびグリッドを挿入することが、かなり容易である。本発明を用いるとき、過度の力は必要ではなく、患者の下へ平坦箱をかなり容易に押すことができ、また、平坦箱の中へ検出器を挿入することは非常に容易な作業である。機器の取り出しも、挿入と同様に容易な処置である。
【００１８】
図に示されたこの実施形態では、端部要素５は、平坦面３、４の端部の長さにわたって延びる端部壁である。平坦面３、４の隅で例えば狭い要素を使用することによっても、前記端部要素も形成することができる。
【００１９】
開口７も、例えば平坦箱の２つの端部に配置することができる。前記２つの開口は、例えば図２に参照数字７で示されるように、平坦箱の対向する端部に設けることができる。平坦箱は、箱のすべての端部側に開口があるようにも形成することができる。この実施形態は、例えば平坦面３、４の隅で端部要素５として狭い要素を使用することにより得ることができる。
【００２０】
平坦箱は、剛体で自立した構造体を得るために任意の適切な材料で作ることができる。使用することができる材料の例には、炭素繊維材料を挙げることができる。
【００２１】
患者の下での滑らかに滑ることを可能にするために、平坦箱に丸みをつけた隅を与えることもできる。平坦箱は、箱の取扱いを容易にするために、適切な取っ手を設けることもできる。
【００２２】
本発明は、決して前述の実施形態に限定されるものではなく、本発明の様々な細部は、添付の特許請求の範囲の範囲内で変化し得る。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００２３】
【図１】Ｘ線検出器機構の一実施形態の斜視図である。
【図２】主に臨床用途における図１に示されたＸ線検出器機構を示す図である。
【符号の説明】
【００２４】
１  検出器
２  平坦箱
３  平坦面
４  平坦面
５  端部要素
６  散乱除去用グリッド
７  開口
８  患者
９  ベッド
１０  Ｘ線装置
１１  マットレス
【図１】
2008168126.tif 000003
【図２】
2008168126.tif 000004